(57)【特許請求の範囲】
【請求項１】
太陽光の発電システムに設けられた太陽光発電モジュールを流れる電流を測定する測定部と、
前記測定部により測定された電流のリプルの振幅に基づいて前記太陽光発電モジュールによる発電への影響に関する判定を行う判定部と、
を備える測定装置。
【請求項２】
前記太陽光発電モジュールは、複数の太陽光パネルを有するストリング、または、複数のセルを有する太陽光パネルである、
請求項１に記載の測定装置。
【請求項３】
複数の前記太陽光発電モジュールのそれぞれごとに設けられる、
請求項１または請求項２のいずれか１項に記載の測定装置。
【請求項４】
前記発電への影響は、故障の影響、および、草木の影の影響を含み、
前記リプルの振幅が大きい方が前記発電への影響が大きい、
請求項１から請求項３のいずれか１項に記載の測定装置。
【請求項５】
太陽光の発電システムに設けられた太陽光発電モジュールを流れる電流を測定するステップと、
測定された電流のリプルの振幅に基づいて前記太陽光発電モジュールによる発電への影響に関する判定を行うステップと、
をコンピュータに実行させるためのプログラム。
【請求項６】
測定装置によって、太陽光の発電システムに設けられた太陽光発電モジュールを流れる電流を測定するステップと、
前記測定装置により測定された電流のリプルの振幅に基づいて、前記太陽光発電モジュールによる発電への影響に関する判定を行うステップと、
を実行する測定方法。
【発明の詳細な説明】
【技術分野】
【０００１】
本発明は、測定装置、プログラムおよび測定方法に関する。
【背景技術】
【０００２】
太陽光パネルにより太陽光を利用して電力を発電することが行われている。例えば、複数の太陽光パネルが直列に接続されてストリングが構成される。
太陽光パネルの故障を発見する手法としては、一例として、人が巡視等によって目視により１枚ごとの太陽光パネルの故障の有無を判定する手法が用いられている。他の例として、人が赤外線カメラを用いて１枚ごとの太陽光パネルの表面の温度を測定して、当該１枚ごとの太陽光パネルの故障の有無を判定する手法が用いられている。
【０００３】
これらの手法によって太陽光パネルの故障があること（または、可能性）が判定された場合には、該当する太陽光パネルを全体の回路から切り離して、当該太陽光パネルについて特性試験（例えば、電流Ｉ対電圧Ｖの測定試験）が行われる。具体的には、並列された複数枚の太陽光パネルのなかから、１枚の太陽光パネルをその左右の太陽光パネルから切り離して、当該１枚の太陽光パネルについて特性試験が行われる。
【先行技術文献】
【特許文献】
【０００４】
【特許文献１】特開２０１２−１５６３４３号公報
【発明の概要】
【発明が解決しようとする課題】
【０００５】
しかしながら、上述のような特性試験は、１枚当たりの太陽光パネルについて、数十分の測定時間を要していた。また、上述のような特性試験を行うときには、発電システムの動作を停止することが必要であった。
また、人が多数の太陽光パネルの故障の有無を判定することは、非常に煩わしい作業であった。例えば、メガソーラなどのように数万枚の太陽光パネルについて、故障の有無を人が目視あるいは赤外線カメラを用いて判定する作業は、非常に多くの時間がかかっていた。
【０００６】
また、太陽光パネルの特性試験の結果は、天候の影響を受けることから、特性試験を行うことが可能な天候の条件が限られていた。具体的には、天候が晴れである場合には特性試験を行うことが可能であるが、雲がかった天候である場合には特性試験を行うことは不可能であった（つまり、特性試験の結果に正確性がなかった）。
また、人が目視等によって故障している太陽光パネルを特定できない場合には、すべての太陽光パネルについて特性試験を行う必要があった。
【０００７】
以上のように、従来では、太陽光パネルによる発電に関し、故障の影響の有無を判定する作業が煩わしい場合があった。太陽光パネルが故障した場合、当該太陽光パネルによる発電の能力が低下する。
また、故障ばかりでなく、太陽光パネルに草木などの影がかかるような場合にも、当該太陽光パネルによる発電の能力が低下する。
従来では、このような太陽光パネルの故障等の影響の有無を判定することが要求されていた。
【０００８】
なお、特許文献１に記載された太陽光発電システムの異常検出方法では、発電中の太陽電池の出力電圧値および出力電流値を検出し、外部の温度と日射量を取得して正常状態における太陽電池の特性を算出し、当該出力電圧値および当該出力電流値に基づいて異常状態における当該太陽電池の特性および異常状態を検出するための閾値を算出して、異常を検出することが行われると解されるが（特許文献１参照）、この方法では、例えば、日射量に大きく左右される場合があり、複雑な計算が必要になる場合があった。
【０００９】
本発明は、このような事情を考慮してなされたものであり、太陽光発電モジュールによる発電に関し、簡易に、故障等の影響の有無を判定することができる測定装置、プログラムおよび測定方法を提供する。
【課題を解決するための手段】
【００１０】
本発明の一態様は、太陽光の発電システムに設けられた太陽光発電モジュールを流れる電流を測定する測定部と、前記測定部により測定された電流のリプルの振幅に基づいて前記太陽光発電モジュールによる発電への影響に関する判定を行う判定部と、を備える測定装置である。
【００１１】
本発明の一態様は、測定装置において、前記太陽光発電モジュールは、複数の太陽光パネルを有するストリング、または、複数のセルを有する太陽光パネルである、構成が用いられてもよい。
【００１２】
本発明の一態様は、測定装置において、複数の前記太陽光発電モジュールのそれぞれごとに設けられる、構成が用いられてもよい。
【００１３】
本発明の一態様は、測定装置において、前記発電への影響は、故障の影響、および、草木の影の影響を含み、前記リプルの振幅が大きい方が前記発電への影響が大きい、構成が用いられてもよい。
【００１５】
本発明の一態様は、太陽光の発電システムに設けられた太陽光発電モジュールを流れる電流を測定するステップと、測定された電流のリプルの振幅に基づいて前記太陽光発電モジュールによる発電への影響に関する判定を行うステップと、をコンピュータに実行させるためのプログラムである。
【００１６】
本発明の一態様は、測定装置によって、太陽光の発電システムに設けられた太陽光発電モジュールを流れる電流を測定するステップと、前記測定装置により測定された電流のリプルの振幅に基づいて、前記太陽光発電モジュールによる発電への影響に関する判定を行うステップと、を実行する測定方法である。
【発明の効果】
【００１７】
上記した測定装置、プログラムおよび測定方法によれば、太陽光発電モジュールによる発電に関し、簡易に、故障等の影響の有無を判定することができる。
【図面の簡単な説明】
【００１８】
【図１】本発明の一実施形態に係る発電システムの概略的な構成例を示す図である。
【図２】本発明の一実施形態に係るストリング群の概略的な構成例を示す図である。
【図３】本発明の一実施形態に係る直列接続回路の概略的な構成例を示す図である。
【図４】故障が発生する前に同一のストリングの直列接続回路に流れる電流の時間特性の例を示す図である。
【図５】１枚の故障が発生したときに同一のストリングの直列接続回路に流れる電流の時間特性の例を示す図である。
【図６】２枚の故障が発生したときに同一のストリングの直列接続回路に流れる電流の時間特性の例を示す図である。
【図７】故障が発生する前に同一のストリングの直列接続回路に流れる電流の周波数特性の例を示す図である。
【図８】１枚の故障が発生したときに同一のストリングの直列接続回路に流れる電流の周波数特性の例を示す図である。
【図９】２枚の故障が発生したときに同一のストリングの直列接続回路に流れる電流の周波数特性の例を示す図である。
【図１０】故障が発生する前に別のストリングの直列接続回路に流れる電流の時間特性の例を示す図である。
【図１１】１枚の故障が発生したときに別のストリングの直列接続回路に流れる電流の時間特性の例を示す図である。
【図１２】２枚の故障が発生したときに別のストリングの直列接続回路に流れる電流の時間特性の例を示す図である。
【図１３】故障が発生する前に別のストリングの直列接続回路に流れる電流の周波数特性の例を示す図である。
【図１４】１枚の故障が発生したときに別のストリングの直列接続回路に流れる電流の周波数特性の例を示す図である。
【図１５】２枚の故障が発生したときに別のストリングの直列接続回路に流れる電流の周波数特性の例を示す図である。
【図１６】本発明の一実施形態（第１の構成例）に係る測定装置を備える発電システムの概略的な構成例を示す図である。
【図１７】本発明の一実施形態（第２の構成例）に係る測定装置を備える発電システムの概略的な構成例を示す図である。
【図１８】本発明の一実施形態（第２の構成例）に係る測定装置の概略的な構成例を示す図である。
【図１９】本発明の一実施形態（第３の構成例）に係る測定システム（監視システム）の概略的な構成例を示す図である。
【図２０】本発明の一実施形態（第３の構成例）に係る測定装置の概略的な構成例を示す図である。
【図２１】本発明の一実施形態（第３の構成例）に係る監視装置の概略的な構成例を示す図である。
【発明を実施するための形態】
【００１９】
本発明の実施形態について図面を参照して詳細に説明する。
【００２０】
［発電システムの構成例］
図１は、本発明の一実施形態に係る発電システム１の概略的な構成例を示す図である。
本実施形態に係る発電システム１は、第１の太陽光発電系と、第２の太陽光発電系を備える。
本実施形態に係る発電システム１は、例えば、メガソーラのシステムに適用されてもよい。
【００２１】
第１の太陽光発電系は、５個のストリング系と、スイッチ１４と、チョッパ１５を有する。第１の太陽光発電系におけるそれぞれのストリング系は、１個のストリング（５個のストリング１１−１〜１１−５のそれぞれ）と、１個の接続箱（５個の接続箱１２−１〜１２−５のそれぞれ）と、１個のスイッチ（５個のスイッチ１３−１〜１３−５のそれぞれ）を備える。それぞれのストリング系において、１個のストリング、１個の接続箱、１個のスイッチの順に接続されている。それに続いて、当該１個のスイッチ（５個のスイッチ１３−１〜１３−５のそれぞれ）は、共通のスイッチ１４と接続されている。それに続いて、当該スイッチ１４は、チョッパ１５と接続されている。それぞれのストリング１１−１〜１１−５は、１６枚の太陽光パネル（それぞれのストリング１１−１〜１１−５において、１枚の太陽光パネル２１−１〜２１−５のみに符号を付してある）を備える。
なお、本実施形態において、第１の太陽光発電系における５個のストリング１１−１〜１１−５の群をストリング群１０１（第１のストリング群）と呼ぶ。
【００２２】
同様に、第２の太陽光発電系は、５個のストリング系を有する。第２の太陽光発電系におけるそれぞれのストリング系は、１個のストリング（５個のストリング４１−１〜４１−５のそれぞれ）と、１個の接続箱（５個の接続箱４２−１〜４２−５のそれぞれ）と、１個のスイッチ（５個のスイッチ４３−１〜４３−５のそれぞれ）を備える。それぞれのストリング系において、１個のストリング、１個の接続箱、１個のスイッチの順に接続されている。それに続いて、当該１個のスイッチ（５個のスイッチ４３−１〜４３−５のそれぞれ）は、共通のスイッチ４４と接続されている。それに続いて、当該スイッチ４４は、チョッパ４５と接続されている。それぞれのストリング４１−１〜４１−５は、１６枚の太陽光パネル（それぞれのストリング４１−１〜４１−５において、１枚の太陽光パネル５１−１〜５１−５のみに符号を付してある）を備える。
なお、本実施形態において、第２の太陽光発電系における５個のストリング４１−１〜４１−５の群をストリング群１０２（第２のストリング群）と呼ぶ。
【００２３】
また、本実施形態に係る発電システム１は、第１の太陽光発電系と第２の太陽光発電系に共通な構成部として、インバータ７１と、スイッチ７２と、端子７３と、トランス７４と、端子７５と、端子７６と、スイッチ７７と、端子７８を備える。インバータ７１、スイッチ７２、端子７３、トランス７４、端子７５、端子７６、スイッチ７７、端子７８の順に接続されている。
また、第１の太陽光発電系におけるチョッパ１５と、第２の太陽光発電系におけるチョッパ４５は、共通のインバータ７１と接続されている。
また、本実施形態に係る発電システム１は、測定装置９１を備える。
【００２４】
本実施形態に係る発電システム１では、それぞれのストリング１１−１〜１１−５、４１−１〜４１−５において、太陽光を利用して電力を発電する。発電された電力は、接続箱１２−１〜１２−５、４２−１〜４２−５、スイッチ１３−１〜１３−５、４３−１〜４３−５、スイッチ１４、４４、チョッパ１５、４５、インバータ７１、スイッチ７２、端子７３、トランス７４、端子７５、端子７６、スイッチ７７、端子７８を介して、当該端子７８の接続先へ供給される。当該端子７８の接続先は、例えば、一般の電力系統である。
なお、それぞれのスイッチ１３−１〜１３−５、１４、４３−１〜４３−５、４４、７２、７７は、閉じられているとき（オンのとき）には電力を通過させ、開かれているとき（オフのとき）には電力を通過させない。
【００２５】
ここで、トランス７４は、交流電力の電圧の大きさを変化させる。なお、トランス７４は、例えば、パワーコンディショナー（ＰＣＳ：Ｐｏｗｅｒ  Ｃｏｎｄｉｔｉｏｎｉｎｇ  Ｓｙｓｔｅｍ）に備えられたものである。
インバータ７１は、太陽光発電系（第１の太陽光発電系および第２の太陽光発電系）において発電された直流電力を交流電力に変換してトランス７４の側へ出力する。
それぞれのチョッパ１５、４５は、電流のオンとオフを繰り返すことによって、電圧または電流の実効値を生成する。本実施形態では、それぞれのチョッパ１５、４５は、インバータ７１にかかる電圧を一定にするための動作を行う。なお、他の構成例として、チョッパ１５、４５が備えられない構成が用いられてもよい。
【００２６】
ここで、本実施形態に係る発電システム１では、１個のインバータ７１に対して、２個の太陽光発電系（第１の太陽光発電系、第２の太陽光発電系）を備えるが、他の構成例として、１個のインバータ７１に対して、１個の太陽光発電系のみを備えてもよく、または、３個以上の太陽光発電系を備えてもよい。
また、本実施形態に係る発電システム１では、それぞれの太陽光発電系（第１の太陽光発電系、第２の太陽光発電系）において、５個のストリング系（５個のストリング１１−１〜１１−５の系、５個のストリング４１−１〜４１−５の系）を備えるが、他の構成例として、それぞれの太陽光発電系において、１個以上の任意の数のストリング系を備えてもよい。
【００２７】
また、本実施形態に係る発電システム１では、それぞれのストリング（ストリング１１−１〜１１−５、ストリング４１−１〜４１−５）において、１６枚の太陽光パネル（例えば、太陽光パネル２１−１〜２１−５、５１−１〜５１−５）を備えるが、他の構成例として、それぞれのストリングにおいて、２枚以上の任意の数の太陽光パネルを備えてもよい。または、１個のストリングの代わりに、１枚の太陽光パネルが用いられてもよい。
また、本実施形態に係る発電システム１では、それぞれの太陽光パネル（例えば、太陽光パネル２１−１〜２１−５、５１−１〜５１−５）において、複数個のセルを備える。ここで、それぞれの太陽光パネルにおけるセルの個数は、２個以上の任意の数であってもよい。または、１枚の太陽光パネルの代わりに、１個のセルが用いられてもよい。
【００２８】
［ストリング群の構成例］
図２は、本発明の一実施形態に係るストリング群１０１の概略的な構成例を示す図である。なお、他のストリング群１０２の構成についても、ストリング群１０１の構成と同様である。
ストリング群１０１は、５個のストリング１１−１〜１１−５を並列に配置して備え、また、これら５個のストリング１１−１〜１１−５を支持する台部１１１、１１２を備える。
１個のストリング１１−１では、１６枚の太陽光パネル２１−１が、８枚ずつ２列に並べられて（縦横に並べられて）配置されている。これら１６枚の太陽光パネル２１−１が直列に、接続部（ストリング１１−１において、１個の接続部１３１のみに符号を付してある）を介して、接続されている。
また、本実施形態では、これら１６枚の太陽光パネル２１−１は、接続部１３１と並行に、バイパスダイオードを介して接続されている。この構成により、これら１６枚の太陽光パネル２１−１のなかのいずれかに故障等（故障、または、草木の影の影響など）が発生した場合においても、当該バイパスダイオードを介して、電流が流れる。
【００２９】
また、それぞれの太陽光パネル２１−１は、２４個のセル（ストリング１１−１において、１個のセル１２１のみに符号を付してある）を備える。１枚の太陽光パネル２１−１では、２４個のセル１２１が、６個ずつ４列に並べられて（縦横に並べられて）配置されている。これら２４個のセル１２１が直列に、接続部（図示を省略）を介して、接続されている。
また、本実施形態では、これら２４個のセル１２１は、接続部と並行に、バイパスダイオードを介して接続されている。この構成により、これら２４個のセル１２１のなかのいずれかに故障等が発生した場合においても、当該バイパスダイオードを介して、電流が流れる。なお、このような電流の流れをセル１２１の単位で補償しない場合には、セル１２１の単位ではバイパスダイオードが備えられなくてもよい。
【００３０】
このような構成により、１個のストリング１１−１では、１６枚の太陽光パネル２１−１のセル１２１（合計で１６×２４個のセル）が直列に接続されている。図２の例では、この直列の接続回路（直列接続回路）の一端Ｐ（例えば、プラスの端子）と他端Ｎ（例えば、マイナスの端子）を示してある。１６枚の太陽光パネル２１−１のセル１２１で発電された電力（例えば、その電流）は当該一端Ｐと当該他端Ｎとの間を伝送する。そして、１個のストリング１１−１では、当該電力が取り出されて、接続箱１２−１の側に出力される。
なお、他のストリング１１−２〜１１−５の構成についても、ストリング１１−１の構成と同様である。
【００３１】
［直列接続回路の構成例］
図３は、本発明の一実施形態に係る直列接続回路２０１の概略的な構成例を示す図である。
図３の例に係る直列接続回路２０１は、Ｎ（Ｎは複数を表す値）個の太陽光発電部２２１−１〜２２１−Ｎが直列に、接続線（１個の接続線２３１のみに符号を付してある）を介して、接続されて構成されている。直列接続回路２０１の一端Ｐの端子２１１と他端Ｎの端子２１２との間に電力（例えば、その電流）が伝送する。
また、図３の例では、直列接続回路２０１と平行に、接地線２６１が備えられている。
【００３２】
ここで、１個のストリング１１−１の直列接続回路２０１では、例えば、それぞれの太陽光発電部２２１−１〜２２１−Ｎは、それぞれの太陽光パネル２１−１である。そして、図１および図２の例では、Ｎ＝１６（太陽光パネル２１−１の数）である。
【００３３】
また、他の例として、図３に示される直列接続回路２０１が１個の太陽光パネル２１−１についての回路であると考えると、例えば、それぞれの太陽光発電部２２１−１〜２２１−Ｎは、それぞれのセル１２１である。そして、図１および図２の例では、Ｎ＝２４（セル１２１の数）である。
【００３４】
直列接続回路２０１の端子２１１と端子２１２との間に流れる電流（本実施形態では、直流電流）は、これらの間に存在する太陽光発電部２２１−１〜２２１−Ｎの状態に応じて、変化し得る。例えば、太陽光発電部２２１−１〜２２１−Ｎのなかに、故障しているものがある場合、あるいは、草木などの影がかかっているものがある場合には、当該電流は低下する。
直列接続回路２０１の端子２１１と端子２１２との間に流れる電流は、当該端子２１１と当該端子２１２との間の任意の箇所を流れる電流を測定することにより、測定することが可能である。
【００３５】
また、他の例として、図３の例のように、発電された電流が流れる本線（図３の例では、直列接続回路２０１の線）と接地線２６１とが平行（または、略平行）していて、当該本線を流れる電流に応じて、誘導電流によって、接地線２６１に電流が流れる場合には、接地線２６１の任意の箇所を流れる電流を測定することにより、直列接続回路２０１の端子２１１と端子２１２との間に流れる電流に応じた電流を測定することが可能である。
【００３６】
［直列接続回路に流れる電流の特性］
図４〜図１５を参照して、故障に関して、ストリング１１−１の直列接続回路２０１に流れる電流の特性の例を示す。当該特性は、例えば、直列接続回路２０１の端子２１１と端子２１２との間に一定の電圧が印加されてすべてのスイッチ（図１の例では、スイッチ１３−１〜１３−５、１４、４３−１〜４３−５、４４、７２、７７）が閉じられて行われた実験で得られたデータに基づいている。なお、他のストリング１１−２〜１１−５、４１−１〜４１−５についても同様である。
図４〜図９では、故障が発生することを想定したストリング１１−１と同一のストリング（すなわち、当該ストリング１１−１）に関する特性を示してある。
図１０〜図１５では、故障が発生することを想定したストリング１１−１とは別のストリング（例えば、隣接するストリング１１−２など）に関する特性を示してある。
【００３７】
図４〜図６、図１０〜図１２のそれぞれに示されるグラフでは、横軸は時間［ｓ］を表わしており、縦軸は電流の値（電流値）［Ａ］を表わしている。
図７〜図９、図１３〜図１５のそれぞれに示されるグラフでは、横軸は周波数［Ｈｚ］を表わしており、縦軸は電流の振幅［Ａ］を表わしている。
【００３８】
図４は、故障が発生する前（つまり、故障が発生していないとき）に同一のストリング１１−１の直列接続回路２０１に流れる電流の時間特性１００１の例を示す図である。本例は、０枚の故障の場合である。本例では、０枚の故障とは、ストリング１１−１に含まれる複数枚の太陽光パネル２１−１のうちの０枚が故障した（つまり、故障していない）ということである。
図５は、１枚の故障が発生したときに同一のストリング１１−１の直列接続回路２０１に流れる電流の時間特性１００２の例を示す図である。本例では、１枚の故障とは、ストリング１１−１に含まれる複数枚の太陽光パネル２１−１のうちの１枚が故障したということである。
図６は、２枚の故障が発生したときに同一のストリング１１−１の直列接続回路２０１に流れる電流の時間特性１００３の例を示す図である。本例では、２枚の故障とは、ストリング１１−１に含まれる複数枚の太陽光パネル２１−１のうちの２枚が故障したということである。
【００３９】
図７は、故障が発生する前（つまり、故障が発生していないとき）に同一のストリング１１−１の直列接続回路２０１に流れる電流の周波数特性１０１１の例を示す図である。本例は、０枚の故障の場合である。
図８は、１枚の故障が発生したときに同一のストリング１１−１の直列接続回路２０１に流れる電流の周波数特性１０１２の例を示す図である。
図９は、２枚の故障が発生したときに同一のストリング１１−１の直列接続回路２０１に流れる電流の周波数特性１０１３の例を示す図である。
なお、これらの周波数特性１０１１〜１０１３は、例えば、測定結果（ここでは、時間特性１００１〜１００３）を周波数解析することにより得られる。
【００４０】
図１０は、故障が発生する前（つまり、故障が発生していないとき）に別のストリングの直列接続回路に流れる電流の時間特性１０２１の例を示す図である。本例は、０枚の故障の場合である。
図１１は、１枚の故障が発生したときに別のストリングの直列接続回路に流れる電流の時間特性１０２２の例を示す図である。
図１２は、２枚の故障が発生したときに別のストリングの直列接続回路に流れる電流の時間特性１０２３の例を示す図である。
【００４１】
図１３は、故障が発生する前（つまり、故障が発生していないとき）に別のストリングの直列接続回路に流れる電流の周波数特性１０３１の例を示す図である。本例は、０枚の故障の場合である。
図１４は、１枚の故障が発生したときに別のストリングの直列接続回路に流れる電流の周波数特性１０３２の例を示す図である。
図１５は、２枚の故障が発生したときに別のストリングの直列接続回路に流れる電流の周波数特性１０３３の例を示す図である。
なお、これらの周波数特性１０３１〜１０３３は、例えば、測定結果（ここでは、時間特性１０２１〜１０２３）を周波数解析することにより得られる。
【００４２】
図４〜図６に示されるように、故障が発生することを想定したストリング１１−１と同一のストリング（すなわち、当該ストリング１１−１）では、故障の枚数が０枚のときには電流値のリプルが小さい（例えば、実質的には無い）が、故障の枚数が増加するにしたがって、電流値のリプルの振幅（波高値）が大きくなっていく。
また、図７〜図９に示されるように、故障が発生することを想定したストリング１１−１と同一のストリング（すなわち、当該ストリング１１−１）では、故障の枚数が増加するにしたがって、所定の周波数の成分の振幅が大きくなっていく。本例では、当該所定の周波数は４０００（＝４ｋ）［Ｈｚ］程度の値である。なお、８０００（＝８ｋ）［Ｈｚ］程度の周波数成分は倍波である。
ここで、４ｋ［Ｈｚ］程度の周波数は、インバータ７１のスイッチング周波数のノイズに相当すると考えられる。
【００４３】
一方、図１０〜図１５に示されるように、故障が発生することを想定したストリング１１−１とは別のストリング（例えば、隣接するストリング１１−２など）では、故障の枚数に電流値あるいは振幅が影響されない。
【００４４】
このように、ストリング１１−１の直列接続回路２０１を流れる電流を測定すると、当該ストリング１１−１を構成する複数枚の太陽光パネル２１−１のうちで故障している枚数が増加するにしたがって、当該電流に発生するリプル（本実施形態では、直流電流のリプル）の振幅が大きくなっていく特性がある。なお、実験によると、天候（日射量）が変化しても、このような特性（故障が発生した太陽光パネル２１−１の数が増加するとリプルの振幅が増加する特性）は同じ（または、略同じ）に成立する。
【００４５】
なお、ここでは、太陽光パネル２１−１の故障を想定して説明したが、他の例として、太陽光パネル２１−１に草木の影がかかっているような場合においても、同様なリプルの特性が現れる。
また、ここでは、１個のストリング１１−１を構成する複数枚の太陽光パネル２１−１を例として説明したが、他の例として、１個の太陽光パネル２１−１を構成する複数個のセル１２１についても同様である。つまり、１個の太陽光パネル２１−１を構成する複数個のセル１２１のうちで故障等が発生している個数が増加するにしたがって、当該太陽光パネル２１−１の直列接続回路を流れる電流に発生するリプルの振幅が大きくなっていく特性がある。
【００４６】
ここで、直列接続回路２０１を流れる電流の平均値は、故障等が発生している部分が多くなるほど、低下すると考えられる。具体例として、Ｎ個の太陽光発電部２２１−１〜２２１−Ｎ（例えば、太陽光パネル、または、セル）のうちでｎ（ｎは１以上Ｎ以下の値）個に故障等が発生した場合、理論的には、全く故障等が発生していないときと比べて、電流値は｛（Ｎ−ｎ）／Ｎ｝倍になると考えられる。
【００４７】
［測定装置の概要］
＜測定および判定＞
そこで、本実施形態では、ストリング１１−１の直列接続回路２０１を流れる電流に発生するリプルの振幅に基づいて、当該ストリング１１−１について故障等の有無を判定する。
測定装置９１は、それぞれのストリング１１−１〜１１−５、４１−１〜４１−５について、直列接続回路２０１を流れる電流の値（電流値）を測定する。この場合、測定装置９１は、例えば、直列接続回路２０１の端子２１１と端子２１２との間に流れる電流を測定してもよく、または、当該端子２１１と当該端子２１２との間の任意の箇所を流れる電流を測定してもよく、または、図３に示されるような接地線２６１を流れる電流を測定してもよい。ここで、本実施形態では、本線である直列接続回路２０１を流れる電流のリプルの振幅が増加（または、減少）するに応じて、接地線２６１を流れる電流のリプルの振幅が増加（または、減少）する。
また、測定装置９１は、例えば、それぞれのストリング１１−１〜１１−５、４１−１〜４１−５について、直列接続回路２０１を流れる電流値の測定結果に基づいて、故障等の有無を判定してもよい。
【００４８】
＜測定および判定の第１の例＞
一例として、測定装置９１は、あらかじめ設定されたリプルの振幅の閾値を記憶する。そして、測定装置９１は、測定対象となる直列接続回路２０１を流れる電流値の測定結果に基づいて、当該測定結果に含まれるリプルの振幅と当該閾値とを比較し、当該リプルの振幅が当該閾値を超えると判定した場合には故障等があることを判定し、一方、当該リプルの振幅が当該閾値以下であると判定した場合には故障等が無いことを判定する。
なお、当該閾値としては、例えば、複数の異なるストリング１１−１〜１１−５、４１−１〜４１−５について共通の値が設定されてもよく、または、それぞれのストリング１１−１〜１１−５、４１−１〜４１−５ごとに異なり得る値が設定されてもよい。また、当該閾値としては、異なる故障等の枚数と対応付けられた複数の閾値（本実施形態では、故障等の枚数が多いほど大きい値）が用いられてもよく、この場合、例えば、測定装置９１は、測定結果に含まれるリプルの振幅が超えた最大の閾値に対応する故障等の枚数を判定（特定）する。
【００４９】
なお、リプルの振幅は、例えば、測定時間における所定の時間で平均化されて使用されてもよい。
また、測定結果および閾値としては、電流値の時間特性に関する値ばかりでなく、他の例として、電流値の周波数特性に関する値が用いられてもよい。
また、閾値としては、例えば、温度、日射量、時刻、季節などの所定の条件によって異なる値が用いられてもよい。この場合、測定装置９１は、当該条件を検出する検出部（例えば、センサ）を備えて、その検出結果に応じて当該条件に合う閾値を設定してもよい。
【００５０】
＜測定および判定の第２の例＞
他の例として、測定装置９１は、あらかじめ設定された電流値のパターンを記憶する。記憶されるパターンは、例えば、故障等が発生していないときのパターンを含んでもよく、また、故障等が発生しているときのパターンを含んでもよい。また、記憶されるパターンは、故障等が発生した枚数ごとのパターンを含んでもよい。そして、測定装置９１は、測定対象となる直列接続回路２０１を流れる電流値の測定結果に基づいて、当該測定結果と記憶されたパターンとを比較し、当該測定結果に最も類似したパターンを判定（特定）する。測定装置９１は、判定したパターンに基づいて、故障等の有無を判定する。
【００５１】
具体的には、測定装置９１は、故障等が発生していないときのパターンに測定結果が最も類似する場合には、故障等が無いことを判定し、一方、故障等が発生したときのパターンに測定結果が最も類似する場合には、故障等があることを判定する。他の例として、測定装置９１は、故障等が発生していないときのパターンに測定結果が類似しないと判定した場合に、故障等があることを判定してもよい。また、故障等が発生した枚数ごとのパターンが用いられる場合には、測定装置９１は、測定結果に最も類似するパターンに基づいて、故障等が発生した枚数を判定してもよい。
ここで、測定結果とパターンとの類似の程度を表す値（類似度）としては、例えば、パターンマッチングなどで使用される任意の演算値が用いられてもよい。また、類似するか否かを判定する手法としては、例えば、類似度が所定の閾値を超える場合には類似すると判定し、類似度が当該閾値以下である場合には類似しないと判定する手法が用いられてもよい。
【００５２】
なお、パターンとしては、例えば、複数の異なるストリング１１−１〜１１−５、４１−１〜４１−５について共通のパターンが設定されてもよく、または、それぞれのストリング１１−１〜１１−５、４１−１〜４１−５ごとに異なり得るパターンが設定されてもよい。
なお、測定結果は、例えば、測定時間における所定の時間ごとに平均化されて使用されてもよい。
また、測定結果およびパターンとしては、電流値の時間特性に関する値ばかりでなく、他の例として、電流値の周波数特性に関する値が用いられてもよい。
また、パターンとしては、例えば、温度、日射量、時刻、季節などの所定の条件によって異なるパターンが用いられてもよい。この場合、測定装置９１は、当該条件を検出する検出部（例えば、センサ）を備えて、その検出結果に応じて当該条件に合うパターンを設定してもよい。
【００５３】
＜測定および判定の第３の例＞
他の例として、測定装置９１は、複数の異なるストリング１１−１〜１１−５、４１−１〜４１−５のうちで、２個の異なるストリング（第１のストリング、第２のストリング）のそれぞれについて、直列接続回路２０１を流れる電流値を測定する。そして、測定装置９１は、第１のストリングの測定結果に含まれるリプルの振幅と、第２のストリングの測定結果に含まれるリプルの振幅とを比較し、両者のリプルの振幅の差分が所定の閾値を超えたと判定した場合に、リプルの振幅が大きい方について故障等があると判定する。
なお、当該閾値としては、任意の値が用いられてもよい。また、当該閾値としては、異なる故障等の枚数と対応付けられた複数の閾値（本実施形態では、故障等の枚数が多いほど大きい値）が用いられてもよく、この場合、例えば、測定装置９１は、両者のリプルの振幅の差分が超えた最大の閾値に対応する故障等の枚数を判定（特定）する。
【００５４】
ここで、測定装置９１は、複数の異なるストリング１１−１〜１１−５、４１−１〜４１−５のうちで、３個以上の異なるストリングのそれぞれについて、直列接続回路２０１を流れる電流値を測定し、これらの測定結果に基づいて、故障等の有無などを判定してもよい。
なお、リプルの振幅は、例えば、測定時間における所定の時間で平均化されて使用されてもよい。
また、測定結果および閾値としては、電流値の時間特性に関する値ばかりでなく、他の例として、電流値の周波数特性に関する値が用いられてもよい。
また、閾値としては、例えば、温度、日射量、時刻、季節などの所定の条件によって異なる値が用いられてもよい。この場合、測定装置９１は、当該条件を検出する検出部（例えば、センサ）を備えて、その検出結果に応じて当該条件に合う閾値を設定してもよい。
【００５５】
＜測定および判定に関する構成例＞
ここで、測定装置９１が測定対象における電流値を測定するタイミングとしては、任意のタイミングが用いられてもよい。
一例として、測定装置９１は、あらかじめ定められた測定タイミングの情報を記憶して、自動的に、当該測定タイミングで測定を行ってもよい。当該測定タイミングは、例えば、一定の周期のタイミングであってもよい。
他の例として、測定装置９１は、人により行われる操作を受け付けて、当該操作に応じた測定タイミングで測定を行ってもよい。具体例として、測定装置９１は、測定を行うことを人の手動で指示するためのボタンあるいはレバーなどを備えてもよい。
【００５６】
また、測定装置９１は、表示あるいは音（音声でもよい）などによって、測定結果あるいは判定結果に関する情報を出力してもよい。一例として、測定装置９１は、測定結果の情報を表示部の画面に表示出力すること、あるいは、判定結果の情報を表示部の画面に表示出力すること、のうちの一方または両方を行う。他の例として、測定装置９１は、測定結果の情報をスピーカから音出力すること、あるいは、判定結果の情報をスピーカから音出力すること、のうちの一方または両方を行う。判定結果の情報には、例えば、故障等の有無の情報が含まれてもよく、または、故障等が発生した部分（例えば、ストリング、あるいは、太陽光パネル、あるいは、セル）の数の情報が含まれてもよい。
また、測定装置９１は、人により行われる操作を受け付けて、受け付けられた操作に基づいて、当該操作に対応する動作（例えば、表示出力あるいは音の出力など）を行ってもよい。
【００５７】
また、人が、測定装置９１による測定結果を見て、故障等の有無などを判定する構成が用いられてもよい。故障等の有無などの判定には、例えば、故障等が発生した部分（例えば、ストリング、あるいは、太陽光パネル、あるいは、セル）の数の判定が含まれてもよい。
すなわち、測定装置９１は、少なくとも、測定対象となる直列接続回路２０１を流れる電流値を測定し、そして、それ以降の解析（例えば、周波数解析など）あるいは判定などは、人が行ってもよく、または、人と測定装置９１とで分担して行ってもよい。
【００５８】
ここで、測定装置９１は、例えば、複数の異なるストリング１１−１〜１１−５、４１−１〜４１−５について共通に備えられてもよく、または、それぞれのストリング１１−１〜１１−５、４１−１〜４１−５ごとに別々に備えられてもよい。
また、測定装置９１は、例えば、人によって持ち運びが可能であってもよく、または、測定対象の設置位置の付近に設置されてもよい。
また、例えば、複数の測定装置９１が備えられる場合に、これらを監視する装置（監視装置）を備えてもよい。この場合、それぞれの測定装置９１が測定結果あるいは判定結果に関する情報を送信し、監視装置が当該情報を受信して収集してもよい。なお、通信（送信、受信）は、例えば、有線の回線を用いて行われてもよく、または、無線の回線を用いて行われてもよい。
【００５９】
なお、ここでは、それぞれのストリング１１−１〜１１−５、４１−１〜４１−５を構成する複数枚の太陽光パネル２１−１〜２１−５、５１−１〜５１−５について、測定結果あるいは判定結果を取得する場合を例として説明したが、他の例として、同様に、１個の太陽光パネル２１−１〜２１−５、５１−１〜５１−５を構成する複数個のセル１２１について、測定結果あるいは判定結果を取得することも可能である。この場合、ストリング１１−１〜１１−５、４１−１〜４１−５の代わりに太陽光パネル２１−１〜２１−５、５１−１〜５１−５で置き換え、太陽光パネル２１−１〜２１−５、５１−１〜５１−５の代わりにセル１２１で置き換えて、同様な測定および判定を行う。
【００６０】
また、本実施形態では、発電システム１が通常に使用されている状態で、測定装置９１による測定を行う場合を示すが、他の例として、通常に使用されている状態とは別に、測定対象（例えば、ストリング１１−１〜１１−５、４１−１〜４１−５、または、太陽光パネル２１−１〜２１−５、５１−１〜５１−５）に所定の電流を流してもよい。当該所定の電流は、例えば、インバータ７１のスイッチング周波数と同じ周波数の電流であってもよく、または、他の周波数の電流であってもよい。この場合においても、電流のリプルが発生すると考えられる。この場合、例えば、天候が悪い日あるいは夕方または夜などのように、日射量が少ないときにおいても、測定対象を流れる電流を大きくして、測定あるいは判定の精度を高めることが可能である。
【００６１】
また、本実施形態では、リプルの振幅に基づいて故障等の有無などを判定する場合を示すが、他の例として、リプルの振幅に応じて変化する他の値に基づいて故障等の有無などを判定する構成が用いられてもよい。
また、本実施形態では、測定装置９１により電流の値を測定することでリプルの振幅を測定する場合を示すが、他の例として、故障等により発生するリプルの振幅を測定することが可能な電圧の値を測定装置９１により測定することで当該リプルの振幅を測定する構成が用いられてもよい。
【００６２】
［第１の構成例］
図１６は、本発明の一実施形態（第１の構成例）に係る測定装置３１１を備える発電システム３０１の概略的な構成例を示す図である。
本構成例に係る発電システム３０１の構成は、図１に示される構成と比べて、図１に示される測定装置９１の機能を有する装置として測定装置３１１を備える点以外は、同様である。図１６の例では、故障等が発生した太陽光パネル（故障等パネル３２１）を示してある。なお、説明の便宜上、図１６の例では、図１の例と同様な構成部については同じ符号を付してある。
【００６３】
本構成例では、測定装置３１１は、一例として、測定対象の電流値を測定する電流計の機能を有するクランプメーター（クランプ測定器）である。クランプメーターは、電流によって発生させられる磁界を測定することで、測定対象の電気回路を開かずに当該電流（実際に測定するものは磁界）を測定することができる。なお、測定装置３１１としては、クランプメーター以外の装置が用いられてもよい。
具体例として、人が、測定装置３１１を持ち運び、手動で当該測定装置３１１を使用して、当該測定装置３１１により測定対象における電流値を測定する。そして、当該人は、測定装置３１１による測定結果を見て、故障等の有無などを判定する。測定対象（例えば、ストリング１１−１〜１１−５、４１−１〜４１−５、あるいは、太陽光パネル２１−１〜２１−５、５１−１〜５１−５）が複数存在する場合には、人は、順番に、それぞれの測定対象における電流値を測定する。
【００６４】
一例として、当該人は、発電システム３０１のストリング１１−１〜１１−５、４１−１〜４１−５などを検査する検査員であってもよい。当該人は、ストリング１１−１〜１１−５、４１−１〜４１−５などが設置された現地において、測定装置３１１を使用して電流を測定することによって、その場で故障等の有無を判定することも可能である。これにより、当該人は、従来では目視により気付かなかった故障等を発見することも可能である。
【００６５】
［第２の構成例］
図１７は、本発明の一実施形態（第２の構成例）に係る測定装置４１１−１〜４１１−５、４２１−１〜４２１−５を備える発電システム４０１の概略的な構成例を示す図である。
本構成例に係る発電システム４０１の構成は、図１に示される構成と比べて、図１に示される測定装置９１の機能を有する装置として複数の測定装置４１１−１〜４１１−５、４２１−１〜４２１−５を備える点以外は、同様である。図１７の例では、故障等が発生した太陽光パネル（故障等パネル４４１）を示してある。なお、説明の便宜上、図１７の例では、図１の例と同様な構成部については同じ符号を付してある。
【００６６】
本構成例では、それぞれのストリング１１−１〜１１−５、４１−１〜４１−５ごとに、別体の測定装置４１１−１〜４１１−５、４２１−１〜４２１−５を備える。それぞれの測定装置４１１−１〜４１１−５、４２１−１〜４２１−５は、例えば、それぞれのストリング１１−１〜１１−５、４１−１〜４１−５ごとに、付近に設置されて備えられている。それぞれの測定装置４１１−１〜４１１−５、４２１−１〜４２１−５は、例えば、図２に示される台部１１１、１１２などに備えられてもよい。
【００６７】
図１８は、本発明の一実施形態（第２の構成例）に係る測定装置４１１−１の概略的な構成例を示す図である。なお、本構成例では、他の測定装置４１１−２〜４１１−５、４２１−１〜４２１−５の構成についても、測定装置４１１−１と同様である。
【００６８】
本構成例に係る測定装置４１１−１は、入力部５１１と、出力部５１２と、記憶部５１３と、測定部５１４と、制御部５１５を備える。制御部５１５は、判定部５３１を備える。
入力部５１１は、外部から情報を入力する。入力部５１１は、例えば、人により行われる操作を受け付ける操作部を備えてもよい。また、入力部５１１は、例えば、外部の装置から出力された情報を入力してもよい。なお、操作部などは、測定装置４１１−１とは別体で備えられて、測定装置４１１−１と有線または無線の回線を介して通信可能に接続されてもよい。
出力部５１２は、外部へ情報を出力する。出力部５１２は、例えば、人に対して画面に情報を表示出力する表示部を備えてもよい。また、出力部５１２は、例えば、人に対して音を出力するスピーカを備えてもよい。また、出力部５１２は、例えば、外部の装置に情報を出力してもよい。なお、表示部あるいはスピーカなどは、測定装置４１１−１とは別体で備えられて、測定装置４１１−１と有線または無線の回線を介して通信可能に接続されてもよい。
【００６９】
記憶部５１３は、情報を記憶する。記憶部５１３は、例えば、制御部５１５により使用される制御プログラムあるいはパラメータなどを記憶してもよい。また、記憶部５１３は、例えば、測定結果の情報、あるいは、判定結果の情報などを記憶してもよい。なお、本構成例では、記憶部５１３を測定装置４１１−１と一体で備えるが、他の構成例として、記憶部５１３は、測定装置４１１−１とは別体で備えられて、測定装置４１１−１と有線または無線の回線を介して通信可能に接続されてもよい。
測定部５１４は、測定対象の電流値を測定する。
制御部５１５は、測定装置４１１−１における処理あるいは制御を行う。制御部５１５は、例えば、判定部５３１により、測定部５１４により取得された測定結果に基づいて、故障等の有無などを判定する処理を行ってもよい。また、制御部５１５は、例えば、測定部５１４により取得された測定結果に基づいて、他の解析（例えば、周波数解析など）の処理を行ってもよい。なお、制御部５１５は、例えば、ＣＰＵ（Ｃｅｎｔｒａｌ  Ｐｒｏｃｅｓｓｉｎｇ  Ｕｎｉｔ）を有し、記憶部５１３に記憶された制御プログラムあるいはパラメータなどを使用して、処理あるいは制御を行ってもよい。
【００７０】
［第３の構成例］
図１９は、本発明の一実施形態（第３の構成例）に係る測定システム（監視システム）６０１の概略的な構成例を示す図である。
本構成例に係る測定システム６０１は、Ｍ（Ｍは複数を表す値）個の測定装置６１１−１〜６１１−Ｍと、ネットワーク６１３と、監視装置６１２を備える。
それぞれの測定装置６１１−１〜６１１−Ｍと、監視装置６１２とは、ネットワーク６１３と接続される。
本構成例では、監視装置６１２とそれぞれの測定装置６１１−１〜６１１−Ｍとが、ネットワーク６１３を介して、通信する。
【００７１】
ここで、本構成例に係る発電システム（システム全体の図示は省略）の構成は、図１７に示される（第２の構成例）に係る構成と比べて、図１７に示される測定装置４１１−１〜４１１−５、４２１−１〜４２１−５の代わりに測定装置６１１−１〜６１１−Ｍを備え、さらに監視装置６１２およびネットワーク６１３を備える点以外は、同様である。
一例として、Ｍ＝１０であり、Ｍ個の測定装置６１１−１〜６１１−Ｍのそれぞれは、図１７に示される同数の測定装置４１１−１〜４１１−５、４２１−１〜４２１−５のそれぞれの代わりに備えられる。そして、これらＭ個の測定装置６１１−１〜６１１−Ｍのそれぞれが、ネットワーク６１３を介して、監視装置６１２と接続される。
【００７２】
図２０は、本発明の一実施形態（第３の構成例）に係る測定装置６１１−１の概略的な構成例を示す図である。なお、本構成例では、他の測定装置６１１−２〜６１１−Ｍの構成についても、測定装置６１１−１と同様である。
【００７３】
本構成例に係る測定装置６１１−１は、入力部７１１と、出力部７１２と、記憶部７１３と、通信部７１４と、測定部７１５と、制御部７１６を備える。制御部７１６は、判定部７３１を備える。
ここで、入力部７１１、出力部７１２、記憶部７１３、測定部７１５、制御部７１６、判定部７３１のそれぞれの機能は、図１８に示される（第２の構成例）に係る入力部５１１、出力部５１２、記憶部５１３、測定部５１４、制御部５１５、判定部５３１のそれぞれの機能と同様である。
【００７４】
通信部７１４は、ネットワーク６１３を介して、外部の装置と通信する。例えば、通信部７１４は、ネットワーク６１３を介して、監視装置６１２と通信する。具体例として、通信部７１４は、測定結果の情報、判定結果の情報、または、他の解析（例えば、周波数解析など）の結果の情報などのうちの１以上を監視装置６１２に送信する。また、通信部７１４は、監視装置６１２から、動作の指示の情報などを受信してもよい。
また、通信部７１４は、ネットワーク６１３を介して、他の測定装置６１１−２〜６１１−Ｍと通信してもよい。具体例として、通信部７１４は、測定結果の情報、判定結果の情報、または、他の解析（例えば、周波数解析など）の結果の情報などのうちの１以上を他の測定装置６１１−２〜６１１−Ｍに送信してもよい。
なお、本構成例では、入力部７１１および出力部７１２とは別に、ネットワーク６１３と接続される通信部７１４を示したが、例えば、当該通信部７１４の機能は入力部７１１および出力部７１２の機能により実現されてもよい。
【００７５】
図２１は、本発明の一実施形態（第３の構成例）に係る監視装置６１２の概略的な構成例を示す図である。
本構成例に係る監視装置６１２は、入力部８１１と、出力部８１２と、記憶部８１３と、通信部８１４と、制御部８１５を備える。
入力部８１１は、外部から情報を入力する。入力部８１１は、例えば、人により行われる操作を受け付ける操作部を備えてもよい。また、入力部８１１は、例えば、外部の装置から出力された情報を入力してもよい。なお、操作部などは、監視装置６１２とは別体で備えられて、監視装置６１２と有線または無線の回線を介して通信可能に接続されてもよい。
出力部８１２は、外部へ情報を出力する。出力部８１２は、例えば、人に対して画面に情報を表示出力する表示部を備えてもよい。また、出力部８１２は、例えば、人に対して音を出力するスピーカを備えてもよい。また、出力部８１２は、例えば、外部の装置に情報を出力してもよい。なお、表示部あるいはスピーカなどは、監視装置６１２とは別体で備えられて、監視装置６１２と有線または無線の回線を介して通信可能に接続されてもよい。
【００７６】
記憶部８１３は、情報を記憶する。記憶部８１３は、例えば、制御部８１５により使用される制御プログラムあるいはパラメータなどを記憶してもよい。また、記憶部８１３は、例えば、それぞれの測定装置６１１−１〜６１１−Ｍから受信された情報を記憶してもよく、具体例として、測定結果の情報、あるいは、判定結果の情報などを記憶してもよい。なお、本構成例では、記憶部８１３を監視装置６１２と一体で備えるが、他の構成例として、記憶部８１３は、監視装置６１２とは別体で備えられて、監視装置６１２と有線または無線の回線を介して通信可能に接続されてもよい。
【００７７】
通信部８１４は、ネットワーク６１３を介して、外部の装置と通信する。例えば、通信部８１４は、ネットワーク６１３を介して、それぞれの測定装置６１１−１〜６１１−Ｍと通信する。具体例として、通信部８１４は、それぞれの測定装置６１１−１〜６１１−Ｍから、測定結果の情報、判定結果の情報、または、他の解析（例えば、周波数解析など）の結果の情報などのうちの１以上を受信する。また、通信部８１４は、それぞれの測定装置６１１−１〜６１１−Ｍに対して、動作の指示の情報などを送信してもよい。
なお、本構成例では、入力部８１１および出力部８１２とは別に、ネットワーク６１３と接続される通信部８１４を示したが、例えば、当該通信部８１４の機能は入力部８１１および出力部８１２の機能により実現されてもよい。
【００７８】
制御部８１５は、監視装置６１２における処理あるいは制御を行う。
一例として、通信部８１４によりそれぞれの測定装置６１１−１〜６１１−Ｍから測定結果の情報を受信する場合、制御部８１５は、取得（ここでは、受信）された測定結果の情報に基づいて、故障等の有無などを判定する処理を行ってもよく、また、取得された測定結果に基づいて、他の解析（例えば、周波数解析など）の処理を行ってもよい。
他の例として、通信部８１４によりそれぞれの測定装置６１１−１〜６１１−Ｍから判定結果の情報を受信する場合、取得（ここでは、受信）された判定結果に基づいて、他の解析の処理を行ってもよい。
なお、制御部８１５は、例えば、ＣＰＵを有し、記憶部８１３に記憶された制御プログラムあるいはパラメータなどを使用して、処理あるいは制御を行ってもよい。
【００７９】
本構成例では、一例として、複数の測定装置６１１−１〜６１１−Ｍにより得られた測定結果の情報を１個の監視装置６１２によって収集し、当該監視装置６１２において当該測定結果の情報に基づいて故障等の有無などの判定を行うことが可能である。本構成例では、他の例として、複数の測定装置６１１−１〜６１１−Ｍにより得られた判定結果の情報を１個の監視装置６１２によって収集することが可能である。監視装置６１２では、例えば、複数の測定装置６１１−１〜６１１−Ｍにより得られた測定結果の情報、および、当該測定結果から得られた判定結果の情報などを記憶部８１３に記憶して一括管理することが可能である。
【００８０】
［以上の実施形態のまとめ］
以上のように、本実施形態では、太陽光発電モジュール（例えば、ストリング１１−１〜１１−５、４１−１〜４１−５、あるいは、太陽光パネル２１−１〜２１−５、５１−１〜５１−５など）による発電に関し、簡易に、故障等の影響の有無を判定することができる。これにより、本実施形態では、故障等の有無の判定の効率化を図ることができる。
【００８１】
本実施形態では、例えば、測定対象である太陽光発電モジュールを全体の回路から切り離さずに測定を行うことが可能であり、発電システム１（図１７の例では、発電システム４０１）の動作を停止させずに測定を行うことが可能である。
本実施形態では、例えば、天候に大きく左右されずに、測定および判定を行うことが可能である。
【００８２】
また、本実施形態では、太陽光発電モジュールの一部（または、全部）に故障等が発生したことが判定された場合には、例えば、故障の影響が生じていること、または、草木の影の影響などが生じていること、が想起される。故障に関しては、故障が発生した太陽光パネル２１−１〜２１−５、５１−１〜５１−５またはセル１２１の補修あるいは取り替えが検討されて実行される。また、草木の影に関しては、問題の影響を与えている草木の部分を切ることが検討されて実行される。
【００８３】
一構成例として、太陽光の発電システム（図１、図１６、図１７の例では、発電システム１、３０１、４０１）に設けられた太陽光発電モジュールを流れる電流を測定する測定部（図１８、図２０の例では、測定部５１４、７１５）と、測定部により測定された電流のリプルの振幅に基づいて当該太陽光発電モジュールによる発電への影響に関する判定を行う判定部（図１８、図２０の例では、判定部５３１、７３１）と、を備える測定装置（図１、図１６、図１７、図１９の例では、測定装置９１、３１１、４１１−１〜４１１−５、４２１−１〜４２１−５、６１１−１〜６１１−Ｍ）である。
一構成例として、測定装置において、太陽光発電モジュールは、複数の太陽光パネル（図１の例では、太陽光パネル２１−１〜２１−５、５１−１〜５１−５）を有するストリング（図１の例では、ストリング１１−１〜１１−４、４１−１〜４１−５）、または、複数のセル（図２の例では、セル１２１）を有する太陽光パネルである、
一構成例として、測定装置において、複数の太陽光発電モジュールのそれぞれごとに設けられる（例えば、図１７、図１９の例）。
一構成例として、測定装置において、発電への影響は、故障の影響、および、草木の影の影響を含み、リプルの振幅が大きい方が発電への影響が大きい（例えば、図４〜図１５の例）。
一構成例として、太陽光の発電システムに設けられた太陽光発電モジュールを流れる電流を測定する測定部を備える複数の測定装置（図１９の例では、測定装置６１１−１〜６１１−Ｍ）と、複数の測定装置の測定部による測定結果の情報、または当該測定結果に基づく判定結果の情報を受信する監視装置（図１９の例では、監視装置６１２）と、を備える測定システム（図１９の例では、測定装置６０１）である。
一構成例として、太陽光の発電システムに設けられた太陽光発電モジュールを流れる電流を測定するステップと、測定された電流のリプルの振幅に基づいて当該太陽光発電モジュールによる発電への影響に関する判定を行うステップと、をコンピュータに実行させるためのプログラム（例えば、図１８、図２０に示される測定装置４１１−１、６１１−１の制御部５１５、７１６により実行されるプログラム）である。
一構成例として、測定装置（図１６の例では、測定装置３１１）によって、太陽光の発電システムに設けられた太陽光発電モジュールを流れる電流を測定するステップと、測定装置により測定された電流のリプルの振幅に基づいて、当該太陽光発電モジュールによる発電への影響に関する判定を行うステップと、を実行する測定方法（図１６の例では、人が測定装置３１１による測定結果に基づいて判定を行う方法）である。
【００８４】
以上、本発明の実施形態について図面を参照して詳述したが、具体的な構成はこの実施形態に限られるものではなく、本発明の要旨を逸脱しない範囲の設計変更等も含まれる。
【００８５】
また、本実施形態のように、以上に示した実施形態に係る装置（例えば、測定装置９１、３１１、４１１−１〜４１１−５、４２１−１〜４２１−５、６１１−１〜６１１−Ｍ、監視装置６１２）の機能を実現するためのプログラムをコンピュータ読み取り可能な記録媒体（記憶媒体）に記録（記憶）して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）あるいは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことをいう。
さらに、「コンピュータ読み取り可能な記録媒体」とは、インターネット等のネットワークあるいは電話回線等の通信回線を介してプログラムが送信された場合のサーバあるいはクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【符号の説明】
【００８６】
１、３０１、４０１…発電システム、１１−１〜１１−５、４１−１〜４１−５…ストリング、１２−１〜１２−５、４２−１〜４２−５…接続箱、１３−１〜１３−５、１４、４３−１〜４３−５、４４、７２、７７…スイッチ、１５、４５…チョッパ、２１−１〜２１−５、５１−１〜５１−５…太陽光パネル、７１…インバータ、７３、７５、７６、７８、２１１、２１２…端子、７４…トランス、９１、３１１、４１１−１〜４１１−５、４２１−１〜４２１−５、６１１−１〜６１１−Ｍ…測定装置、１０１、１０２…ストリング群、１１１、１１２…台部、１２１…セル、１３１…接続部、２０１…直列接続回路、２２１−１〜２２１−Ｎ…太陽光発電部、２３１…接続線、２６１…接地線、３２１、４４１…故障等パネル、５１１、７１１、８１１…入力部、５１２、７１２、８１２…出力部、５１３、７１３、８１３…記憶部、５１４、７１５…測定部、５１５、７１６、８１５…制御部、５３１、７３１…判定部、７１４、８１４…通信部、６１２…監視装置、６１３…ネットワーク、１００１〜１００３、１０１１〜１０１３、１０２１〜１０２３、１０３１〜１０３３…特性
【図１】
0006631239.tif 000002
【図２】
0006631239.tif 000003
【図３】
0006631239.tif 000004
【図４】
0006631239.tif 000005
【図５】
0006631239.tif 000006
【図６】
0006631239.tif 000007
【図７】
0006631239.tif 000008
【図８】
0006631239.tif 000009
【図９】
0006631239.tif 000010
【図１０】
0006631239.tif 000011
【図１１】
0006631239.tif 000012
【図１２】
0006631239.tif 000013
【図１３】
0006631239.tif 000014
【図１４】
0006631239.tif 000015
【図１５】
0006631239.tif 000016
【図１６】
0006631239.tif 000017
【図１７】
0006631239.tif 000018
【図１８】
0006631239.tif 000019
【図１９】
0006631239.tif 000020
【図２０】
0006631239.tif 000021
【図２１】
0006631239.tif 000022